【手続補正書】
【提出日】平成16年8月24日(2004.8.24)
【手続補正１】
【補正対象書類名】明細書
【補正対象項目名】特許請求の範囲
【補正方法】変更
【補正の内容】
【特許請求の範囲】
【請求項１】
飛び越し走査画像を順次走査画像に変換する順次走査変換方法において、
飛び越し走査画像中の、順次走査変換処理の対象となる順次走査変換対象フィールドと前記順次走査変換対象フィールドの前後のフィールドとの３フィールドのうちの、少なくとも１フィールドの画素にフィルタ処理を施すことにより、前記順次走査変換対象フィールドの補間画素を生成するステップと、
前記順次走査変換対象フィールドの動き量を測定するステップと、
前記動き量に基づいて前記フィルタ処理の特性を変化させるステップと、
を含むことを特徴とする順次走査変換方法。
【請求項２】
請求項１に記載の順次走査変換方法において、
前記補間画素を生成するステップで前記フィルタ処理に用いるフィルタは、前記順次走査変換対象フィールドに対しては、垂直方向の低周波数成分を抽出し、前記順次走査変換対象フィールドの前後フィールドに対しては、垂直方向の高周波数成分を抽出する特性を有していることを特徴とする順次走査変換方法。
【請求項３】
請求項１に記載の順次走査変換方法において、
前記補間画素を生成するステップは、前記順次走査変換対象フィールドにおける補間位置の垂直−時間面での周辺画素にフィルタ処理を施すことを特徴とする順次走査変換方法。
【請求項４】
請求項１に記載の順次走査変換方法において、
前記動き量を測定するステップは、前記順次走査変換対象フィールドまたは前記順次走査変換対象フィールドを含むフレームと、他のフィールドまたはフレームとの間の差分値から前記動き量を求めることを特徴とする順次走査変換方法。
【請求項５】
請求項１に記載の順次走査変換方法において、
前記動き量を測定するステップは、前記補間画素を生成するステップで前記フィルタ処理を施す際に用いる画素間の差分値から前記動き量を求めることを特徴とする順次走査変換方法。
【請求項６】
請求項５に記載の順次走査変換方法において、
前記動き量を測定するステップは、前記補間画素を生成するステップで前記フィルタを施す際に用いる画素のうちの、前記順次走査変換対象フィールドの前後フィールドに属する画素間の差分値から動き量を求めることを特徴とする順次走査変換方法。
【請求項７】
請求項１に記載の順次走査変換方法において、
前記フィルタ処理の特性を変化させるステップは、前記動き量が大きくなる程、前記フィルタ処理の特性を前記順次走査変換対象フィールドの前後フィールドからの成分の利得が小さくなるように変化させることを特徴とする順次走査変換方法。
【請求項８】
請求項１に記載の順次走査変換方法において、
前記フィルタ処理の特性を変化させるステップは、前記動き量が大きい場合、前記フィルタ処理の特性を前記順次走査変換対象フィールドの前後フィールドからの成分の利得が０となるように変化させることを特徴とする順次走査変換方法。
【請求項９】
飛び越し走査画像を順次走査画像に変換する順次走査変換装置において、
飛び越し走査画像を蓄積するフレームメモリと、
前記フレームメモリから、前記飛び越し走査画像中の、順次走査変換処理の対象となる順次走査変換対象フィールドと、前記順次走査変換対象フィールドの前フィールドまたは後フィールドのいずれか一方または両方とを入力とし、前記入力したフィールドのうちの少なくとも１フィールドの画素にフィルタ処理を施すことにより、前記順次走査変換対象フィールドの補間画素を生成するフィルタ器と、
前記順次走査変換対象フィールドの動き量を測定する差分演算器と、
前記差分演算器により測定した動き量に基づいて前記フィルタ器の特性を変化させるフィルタ係数設定器と、
を備えることを特徴とする順次走査変換装置。
【請求項１０】
飛び越し走査画像を順次走査画像に変換する順次走査変換装置において、
飛び越し走査画像を蓄積するフレームメモリと、
前記フレームメモリから、前記飛び越し走査画像中の、順次走査変換処理の対象となる順次走査変換対象フィールドと、前記順次走査変換対象フィールドの前フィールドまたは後フィールドのいずれか一方または両方とを入力とし、前記入力したフィールドのうちの少なくとも１フィールドの画素にフィルタ処理を施すことにより、前記順次走査変換対象フィールドの補間画素を生成するフィルタ器と、
前記フレームメモリから、飛び越し走査画像中の、前記順次走査変換対象フィールドまたは前記順次走査変換対象フィールドを含むフレームと、前記順次走査変換対象フィールドまたは前記順次走査変換対象フィールドを含むフレームと隣接するフィールドまたはフレームとを入力して、その差分を演算することにより前記順次走査変換対象フィールドの動き量を測定する差分演算器と、
前記差分演算器により測定した動き量に基づいて、前記フィルタ器のフィルタ特性を変化させるフィルタ係数設定器と、
前記飛び越し走査画像と、前記フィルタ器により生成された補間画素とを合成し、順次走査画像を生成する倍速変換器と、
を備えることを特徴とする順次走査変換装置。
【手続補正２】
【補正対象書類名】明細書
【補正対象項目名】００３５
【補正方法】削除
【補正の内容】
【手続補正３】
【補正対象書類名】明細書
【補正対象項目名】００３６
【補正方法】削除
【補正の内容】
【手続補正４】
【補正対象書類名】明細書
【補正対象項目名】００３７
【補正方法】削除
【補正の内容】
【手続補正５】
【補正対象書類名】明細書
【補正対象項目名】００３８
【補正方法】削除
【補正の内容】
【手続補正６】
【補正対象書類名】明細書
【補正対象項目名】００３９
【補正方法】削除
【補正の内容】
【手続補正７】
【補正対象書類名】明細書
【補正対象項目名】００４０
【補正方法】削除
【補正の内容】
【手続補正８】
【補正対象書類名】明細書
【補正対象項目名】００４１
【補正方法】削除
【補正の内容】
【手続補正９】
【補正対象書類名】明細書
【補正対象項目名】００４２
【補正方法】削除
【補正の内容】
【手続補正１０】
【補正対象書類名】明細書
【補正対象項目名】００４３
【補正方法】削除
【補正の内容】
【手続補正１１】
【補正対象書類名】明細書
【補正対象項目名】００４４
【補正方法】削除
【補正の内容】
【手続補正１２】
【補正対象書類名】明細書
【補正対象項目名】００４５
【補正方法】削除
【補正の内容】
【手続補正１３】
【補正対象書類名】明細書
【補正対象項目名】００４６
【補正方法】削除
【補正の内容】
【手続補正１４】
【補正対象書類名】明細書
【補正対象項目名】００４７
【補正方法】削除
【補正の内容】
【手続補正１５】
【補正対象書類名】明細書
【補正対象項目名】００４８
【補正方法】削除
【補正の内容】
【手続補正１６】
【補正対象書類名】明細書
【補正対象項目名】００４９
【補正方法】削除
【補正の内容】
【手続補正１７】
【補正対象書類名】明細書
【補正対象項目名】００５０
【補正方法】削除
【補正の内容】
【手続補正１８】
【補正対象書類名】明細書
【補正対象項目名】００５１
【補正方法】削除
【補正の内容】
【手続補正１９】
【補正対象書類名】明細書
【補正対象項目名】００５２
【補正方法】削除
【補正の内容】
【手続補正２０】
【補正対象書類名】明細書
【補正対象項目名】００５３
【補正方法】削除
【補正の内容】
【手続補正２１】
【補正対象書類名】明細書
【補正対象項目名】００５４
【補正方法】削除
【補正の内容】
【手続補正２２】
【補正対象書類名】明細書
【補正対象項目名】００５５
【補正方法】削除
【補正の内容】
【手続補正２３】
【補正対象書類名】明細書
【補正対象項目名】００５６
【補正方法】削除
【補正の内容】
【手続補正２４】
【補正対象書類名】明細書
【補正対象項目名】００５７
【補正方法】削除
【補正の内容】
【手続補正２５】
【補正対象書類名】明細書
【補正対象項目名】００５８
【補正方法】削除
【補正の内容】
【手続補正２６】
【補正対象書類名】明細書
【補正対象項目名】００５９
【補正方法】削除
【補正の内容】
【手続補正２７】
【補正対象書類名】明細書
【補正対象項目名】００６０
【補正方法】削除
【補正の内容】
【手続補正２８】
【補正対象書類名】明細書
【補正対象項目名】００６１
【補正方法】削除
【補正の内容】
【手続補正２９】
【補正対象書類名】明細書
【補正対象項目名】０１５２
【補正方法】削除
【補正の内容】
【手続補正３０】
【補正対象書類名】明細書
【補正対象項目名】０１５３
【補正方法】削除
【補正の内容】
【手続補正３１】
【補正対象書類名】明細書
【補正対象項目名】０１５４
【補正方法】削除
【補正の内容】
【手続補正３２】
【補正対象書類名】明細書
【補正対象項目名】０１５５
【補正方法】削除
【補正の内容】
【手続補正３３】
【補正対象書類名】明細書
【補正対象項目名】０１５６
【補正方法】削除
【補正の内容】